(57)【要約】【課題】指定された色で印刷を行うための印刷制御装置であって、印刷対象画像の指定された領域について容易に所望の色での印刷を可能にする印刷制御装置等を提供する。【解決手段】印刷データを送信してプリンターに印刷を実行させる印刷制御装置が、特定色の色変換情報を記憶する記憶部と、入力される第１画像データから前記印刷データを生成するドライバー部と、前記色変換情報を設定する特色設定部と、を備え、前記特色設定部は、前記印刷データに基づいて、第２画像データを出力する。【選択図】  図１
2016186690.tif 000002
【特許請求の範囲】
【請求項１】
印刷データを送信してプリンターに印刷を実行させる印刷制御装置であって、
特定色の色変換情報を記憶する記憶部と、
入力される第１画像データから前記印刷データを生成するドライバー部と、
前記色変換情報を設定する特色設定部と、を備え、
前記特色設定部は、前記印刷データに基づいて、第２画像データを出力する
ことを特徴とする印刷制御装置。
【請求項２】
請求項１において、
前記色変換情報は、前記特定色について、元色の色値に変換後の色値を対応付けて収める
ことを特徴とする印刷制御装置。
【請求項３】
請求項２において、
前記特色設定部は、前記第２画像データによる画像を表示し、当該表示した画像の指示を受けた色値を前記元色の色値として取得する
ことを特徴とする印刷制御装置。
【請求項４】
請求項３において、
前記特色設定部は、前記元色と当該元色の周辺色のパッチ画像を出力する
ことを特徴とする印刷制御装置。
【請求項５】
請求項４において、
前記特色設定部は、前記パッチ画像のパッチ識別情報を取得し、取得した前記パッチ識別情報に対応付けられるパッチ画像の色値を、前記色変換情報における前記変換後の色値とする
ことを特徴とする印刷制御装置。
【請求項６】
印刷データを送信してプリンターに印刷を実行させる印刷制御方法であって、
特定色の色変換情報を記憶し、
入力される第１画像データから前記印刷データを生成し、
前記印刷データに基づいて、第２画像データを出力し、
前記第２画像データに応じて、前記色変換情報を設定する
ことを特徴とする印刷制御方法。
【請求項７】
印刷データを送信してプリンターに印刷を実行させるコンピューターに、
特定色の色変換情報を記憶する工程と、
入力される第１画像データから前記印刷データを生成する工程と、
前記印刷データに基づいて、第２画像データを出力する工程と、
前記第２画像データに応じて、前記色変換情報を設定する工程と、
を実行させる
ことを特徴とするプログラム。
【発明の詳細な説明】
【技術分野】
【０００１】
本発明は、指定された色で印刷を行うための印刷制御装置等に関し、特に、印刷対象画像の指定された領域について容易に所望の色での印刷を可能にする印刷制御装置等に関する。
【背景技術】
【０００２】
プリンターで印刷を行う場合、コーポレートカラーなどで印刷を行う部分については、出力された印刷物においてユーザーの指定した色で正確に印刷される必要がある。このような特別な色（以下、特色と称す）での印刷を実現させるために、従来は、印刷対象とする画像の画像データ（を収める画像ファイル）自体のデータを加工する方法などが取られていた。
【０００３】
かかる特色の印刷に関し、下記特許文献１には、特色とそれ以外の色との重なり部分についての色再現方法等が記載される。また、下記特許文献２には、カラーバランスを変えた画像を複数印刷し、その中からユーザーに選択されたものに基づいて所望の色合わせを実現することなどが記載される。また、下記特許文献３には、印刷色とサンプル色とを一致させる技術について記載される。
【先行技術文献】
【特許文献】
【０００４】
【特許文献１】特開２００６−１７３８０１号公報
【特許文献２】特開２００１−３６７５９号公報
【特許文献３】特開２００３−１３４３４９号公報
【発明の概要】
【発明が解決しようとする課題】
【０００５】
しかしながら、上述した画像データを加工する方法では、ユーザー自身が画像編集アプリケーションを使用して対象部分の色情報を変更する操作を行うため、ユーザーの負担が大きかった。また、加工する画像データのファイル形式によっては、加工ができない場合や印刷後に加工した色から変わってしまう場合があった。更に、色情報を変更する操作において、変更の必要がない他の画像データを誤って変更してしまう虞もあった。
【０００６】
また、上記特許文献には、これらの課題について解決策が示されていない。
【０００７】
そこで、本発明の目的は、指定された色で印刷を行うための印刷制御装置であって、印刷対象画像の指定された領域について容易に所望の色での印刷を可能にする印刷制御装置、等を提供することである。
【課題を解決するための手段】
【０００８】
上記の目的を達成するために、本発明の一つの側面は、印刷データを送信してプリンターに印刷を実行させる印刷制御装置が、特定色の色変換情報を記憶する記憶部と、入力される第１画像データから前記印刷データを生成するドライバー部と、前記色変換情報を設定する特色設定部と、を備え、前記特色設定部は、前記印刷データに基づいて、第２画像データを出力する、ことである。
【０００９】
更に、上記発明において、好ましい態様は、前記色変換情報は、前記特定色について、元色の色値に変換後の色値を対応付けて収める、ことを特徴とする。
【００１０】
更に、上記発明において、好ましい態様は、前記特色設定部は、前記第２画像データによる画像を表示し、当該表示した画像の指示を受けた色値を前記元色の色値として取得する、ことを特徴とする。
【００１１】
更に、上記発明において、好ましい態様は、前記特色設定部は、前記元色と当該元色の周辺色のパッチ画像を出力する、ことを特徴とする。
【００１２】
更にまた、上記発明において、好ましい態様は、前記特色設定部は、前記パッチ画像のパッチ識別情報を取得し、取得した前記パッチ識別情報に対応付けられるパッチ画像の色値を、前記色変換情報における前記変換後の色値とする、ことを特徴とする。
【００１３】
上記の目的を達成するために、本発明の別の側面は、印刷データを送信してプリンターに印刷を実行させる印刷制御方法において、特定色の色変換情報を記憶し、入力される第１画像データから前記印刷データを生成し、前記印刷データに基づいて、第２画像データを出力し、前記第２画像データに応じて、前記色変換情報を設定する、ことである。
【００１４】
上記の目的を達成するために、本発明の更に別の側面は、印刷データを送信してプリンターに印刷を実行させるコンピューターに、特定色の色変換情報を記憶する工程と、入力される第１画像データから前記印刷データを生成する工程と、前記印刷データに基づいて、第２画像データを出力する工程と、前記第２画像データに応じて、前記色変換情報を設定する工程と、を実行させるプログラムである。
【００１５】
本発明の更なる目的及び、特徴は、以下に説明する発明の実施の形態から明らかになる。
【図面の簡単な説明】
【００１６】
【図１】本発明を適用した印刷制御装置を備える印刷システムの実施の形態例に係る構成図である。
【図２】特色変換リスト１７に収められる情報を例示した図である。
【図３】特色変換情報の設定処理の手順を例示したフローチャートである。
【図４】特色設定画面の一例を示した図である。
【図５】出力されたパッチ画像の一例を示す図である。
【図６】印刷時の処理手順の一例を示したフローチャートである。
【発明を実施するための形態】
【００１７】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１８】
図１は、本発明を適用した印刷制御装置を備える印刷システムの実施の形態例に係る構成図である。図１に示すホスト装置１が本発明を適用した印刷制御装置である。ホスト装置１は、印刷時に、予め設定された特色の変換情報（特色変換リスト１７、特定色の色変換情報）に基づいて印刷データを生成する。また、ホスト装置１は、その特色の変換情報（特色変換リスト１７）の設定時に、ドライバー部１２によるレンダリング処理後の画像データを用いて、ユーザーに対する画像の表示、特色を設定する画像領域（位置）の取得、当該画像領域の色及びその周辺色のパッチ画像の印刷、及び、選択されたパッチ画像による特色の決定と記憶、の各処理を実行する。これらの処理により、ユーザーは、容易な操作で所望の特色を設定でき、かつ、特色について所望の色での印刷が可能になる。
【００１９】
図１に示すように、本実施の形態例に係る印刷システムは、ホスト装置１と、ホスト装置１と通信可能に接続されるプリンター２を備える。
【００２０】
ホスト装置１は、プリンター２に対して印刷指示を行うプリンター２のホストコンピューターであり、例えば、パーソナルコンピューターで構成される。従って、ホスト装置１は、図示しないが、ＣＰＵ、ＲＡＭ、ＲＯＭ、ＨＤＤ等で構成される。
【００２１】
図１に示すように、ホスト装置１は、機能構成として、アプリケーション部１１、ドライバー部１２、特色設定部１５、表示部１３、操作部１４、画像ファイル１６、及び特色変換リスト１７を備える。
【００２２】
アプリケーション部１１は、プリンター２に対する印刷要求元であり、印刷要求時には、ユーザーのホスト装置１に対する指示操作等により、ドライバー部１２に対して印刷対象の画像データ（以下、元画像データと称す）を送信する。当該元画像データは、文字、グラフィクスなどの印刷対象をオブジェクト単位で表現した標準フォーマット（例えば、ＧＤＩ（Ｇｒａｐｈｉｃ  Ｄａｔａ  Ｉｎｔｅｒｆａｃｅ）に則ったフォーマット）のデータである。また、元画像データにおいては、画像の色は、一例として、ＲＧＢ（レッド、グリーン、ブルー）の多値（例えば、０〜２５５の２５６階調）で表現される。しかし、画像データのデータ形式によっては、ＲＧＢ等の色値を容易に取得できない場合や容易に加工ができない場合がある。また、透過データがある場合、誤った画像データを特定される場合がある。なお、アプリケーション部１１は、処理内容を記述したプログラム、当該プログラムに従って処理を実行するＣＰＵ、ＲＡＭなどによって構成される。
【００２３】
ドライバー部１２は、プリンター２用のドライバー機能を担う部分であり、上記アプリケーション部１１から出力された元画像データに各種処理を施して、プリンター２用の印刷データを生成し、当該印刷データをプリンター２に送信する。ドライバー部１２は、後述するレンダリング処理を含む画像処理を行って、印刷データを生成する場合、画像処理を行わず、印刷データを生成する場合等がある。画像処理を行う場合は、ドライバー部１２は、画像データをプリンター２で使用される色材（インク）で表現される画像データに変換する画像処理を実行する。本実施形態では、Ｒ（レッド）、Ｇ（グリーン）、Ｂ（ブルー）の色値で表されるＲＧＢ画素データを、Ｃ（シアン）、Ｍ（マゼンタ）、Ｙ（イエロー）、Ｋ（ブラック）の色値（インク量）で表されるＣＭＹＫ画素データへの色変換処理が行われる。そして、ドライバー部１２は、ＣＭＹＫ画素データをインクのドットで表現されたドットデータに変換し、そのドットデータをプリンター２のコマンドで表現された印刷データにする。ドライバー部１２が、画像処理を行わない場合は、プリンター２が、画像処理を行う。ドライバー部１２は、処理内容を記述したドライバープログラム、当該プログラムに従って処理を実行するＣＰＵ、及びＲＡＭ等で構成される。
【００２４】
特色設定部１５は、コーポレートカラーなどユーザーが正確な色で印刷したい特色（特定色）の変換情報（特色変換リスト１７）を設定する機能を担う部分である。特色設定部１５は、本印刷システムの大きな特徴であり、その具体的な処理内容については後述する。なお、特色設定部１５は、処理内容を記述したプログラム、当該プログラムに従って処理を実行するＣＰＵ、ＲＡＭなどによって構成される。
【００２５】
表示部１３は、ユーザーに対する情報表示機能を担う部分であり、ディスプレイなどで構成される。
【００２６】
操作部１４は、ユーザーによる情報入力を担う部分であり、キーボード、マウス等で構成される。
【００２７】
画像ファイル１６は、印刷対象とする画像の画像データを収めたファイルであり、様々なファイル形式のものが存在する。画像ファイル１６は、ＨＤＤ等のメモリに記憶される。
【００２８】
特色変換リスト１７は、各特色について色変換情報を収めたものであり、ＨＤＤ等のメモリ（記憶部）に記憶される。
【００２９】
記憶部１８は、画像ファイル１６と特色変換リスト１７を記憶する。
【００３０】
図２は、特色変換リスト１７に収められる情報を例示した図である。図２に示すように、特色変換リスト１７は、一例として、「特色セット」毎に、色変換情報を収める。
【００３１】
「特色セット」は、それに対応付けられる色変換情報の１纏りを意味し、印刷時には、この特色セットを指定することにより、その特色セットに対応付けられた色変換情報に基づく処理がなされる。特色セットは、識別情報を持ち、ここでは一例として、[１]、[２]、・・・の特色セット番号を持つ。
【００３２】
「色変換情報」は、ユーザーによって特色であると指示された画像の元画像データが持つ色値（Ｒ，Ｇ，Ｂ）（色情報）と変換後の色値（Ｒ’，Ｇ’，Ｂ’）を対応付けた情報である。変換後の色値（Ｒ’，Ｇ’，Ｂ’）は、この値を用いて印刷データが生成され、その印刷データに基づいてプリンター２による印刷がなされた時に、ユーザーが所望する特色で、又は、ユーザーが所望する特色に近い色で印刷される値である。なお、図２の特色セット[２]のように、１特色セットに複数の特色について色変換情報を持つことができる。
【００３３】
この特色変換リスト１７を用いると、例えば、図２に示す特色セット[１]が指定された場合には、元画像データで（１００，５０，５０）のＲＧＢ値を持つ部分は、（１０５，５０，４５）のＲＧＢ値に変換されて印刷データが生成される。
【００３４】
次に、プリンター２は、ホスト装置１の印刷指示に従って印刷処理を実行する、例えば、カラーインクジェットプリンターである。プリンター２は、図１に示されるように、コントローラー部２１と印刷機構部２２が備える。
【００３５】
コントローラー部２１は、印刷指示による印刷データを受信して、当該印刷データに従った印刷処理を印刷機構部２２に実行させる部分である。具体的には、処理内容を記述したプログラム、当該プログラムに従って処理を実行するＣＰＵ、ＲＡＭ、プログラムを格納するＲＯＭ、ＡＳＩＣ等で構成される。
【００３６】
印刷機構部２２は、コントローラー部２１の指示に従って印刷媒体の紙等に印刷処理を実行する部分である。印刷機構部２２は、図示していないが、インクを吐出する印刷ヘッド、印刷媒体を搬送する搬送装置等を備える。
【００３７】
また、プリンター２は、特色設定部１５からの指示により特色変換リスト１７の情報を設定するためのパッチ画像の印刷を行う。
【００３８】
以上説明したような構成を有する本実施の形態例に係る印刷システムでは、以下のような手順で処理が実行される。
【００３９】
図３は、特色変換情報（特色変換リスト１７）の設定処理の手順を例示したフローチャートである。特色変換情報の設定の場合、まず、特色設定部１５が起動する（図３のステ
ップＳ１）。次に、設定の対象となる特色を含む画像ファイル１６について、アプリケーション部１１が印刷指示を行う（図３のステップＳ２）。アプリケーション部１１は、印刷対象の元画像データ（第１画像データ）を生成してドライバー部１２に印刷を指示する。
【００４０】
ドライバー部１２は、元画像データに従って印刷データを生成する。特色設定部１５は、生成された印刷データに対して、レンダリング処理を実行する（図３のステップＳ３）。レンダリング処理では、元画像データが画素単位の画像データに変換される。例えば、元画像データ（第１画像データ）は、各画素がＲＧＢの多値（例えば、０〜２５５の２５６階調）を有する画像データ（第２画像データ）に変換される。本実施形態では、当該画素単位の画像データを、以下、ＲＧＢ画素データと称す。なお、レンダリング処理の処理手段は、対応するプリンター２と同等の処理手段が設定される。  なお、ドライバー部１２が、レンダリング処理を実行する場合は、特色設定部１５は、ドライバー部１２により、レンダリング処理されたＲＧＢ画素データをドライバー部１２から取得して読み込む。
【００４１】
そして、特色設定部１５は、生成、または、読み込んで、取得したＲＧＢ画素データに基づいて画像を表示部１３に表示する（図３のステップＳ４）。
【００４２】
図４は、特色設定画面の一例を示した図である。特色設定部１５は、図４に示す特色設定画面１５Ａの表示部ａに上記読み込んだＲＧＢ画素データを表示する。図４に示す例では、図中のｘ、ｙ、ｚで指示される画像オブジェクト（文字列、円及び矩形のグラフィックス）が画像ファイル１６に含まれていた画像として表示される。
【００４３】
当該特色設定画面１５Ａが表示されると、ユーザーにより、操作部１４を介して、特色設定画面１５Ａのｂ部のメニューが操作され、特色セット番号を入力される。その後、ユーザーにより、同様に、特色設定画面１５Ａのｃ部のメニューが操作により、設定する特色を持つ画像オブジェクトが指示される。
【００４４】
当該操作を受けて、特色設定部１５は、入力された特色セット番号と指示された画像オブジェクトの位置（画素の位置）を取得し、それらの記憶を行う。さらに、特色設定部１５は、ＲＧＢ画素データにおいて上記指示された位置の画素が有する色値（Ｒ，Ｇ，Ｂ）（以下、元色と称す）を、上述した特色変換リスト１７における色変換情報の（Ｒ，Ｇ，Ｂ）値として記憶を行うる（図３のステップＳ５）。例えば、図４において、ｘの位置が指示された場合には、特色設定部１５は、「Ｅ」の文字の指示された位置の画素が持つ色値を記憶する。図４において表示される「ＥＰＳＯＮ」の文字列が同じ色である場合には、「ＥＰＳＯＮ」のその色が特色として扱われ、その変換情報が設定される。
【００４５】
次に、ユーザーによって、操作部１４を介して、特色設定画面１５Ａのｄ部のメニューが操作され、パッチ仕様の指定が行われる。パッチ仕様とは、ユーザーが特色として相応しい色を選択するためにこれから印刷させる複数のパッチ画像の印刷仕様であり、周辺色として選択する色値のピッチ、印刷するパッチ画像の数等を入力する。特色設定部１５は、これらの入力されるパッチ仕様の情報を取得する（図３のステップＳ６）。
【００４６】
次に、特色設定部１５は、パッチ画像の画像データを生成する（図３のステップＳ７）。具体的には、特色設定部１５は、まず、パッチ仕様で指示されたパッチ画像の数よりも１少ない数の周辺色の色値（Ｒ，Ｇ，Ｂ）を生成する。その際には、特色設定部１５は、元色を中心として、パッチ仕様で指示されるピッチ分の値を、ＲＧＢの色毎に順次増減した色値を生成する。次に、特色設定部１５は、元色と生成した周辺色について、それぞれ、その色で塗りつぶした矩形のパッチ画像のＲＧＢ画素データを生成する。さらに、特色設定部１５は、各パッチ画像に付されて印刷されるパッチ画像の識別情報であるパッチ番
号（（１）、（２）、・・・）をパッチ画像のＲＧＢ画素データに追加する。
【００４７】
このようにして生成したパッチ画像を、特色設定部１５は、表示部１３に表示する。なお、特色設定部１５は、パッチ画像を、印刷データとしてプリンター２へ送信し、印刷時に使用する印刷媒体に印刷して出力してもよい。
【００４８】
図５は、出力されたパッチ画像の一例を示す図である。図５に示す例では、指示されたピッチが５で、指示されたパッチ画像数が２７の場合を示している。従って、図５に示すように、元色のパッチ画像（図５の（Ｂ）の中心に位置するパッチ画像）を中心に、ＲＧＢ各色のそれぞれについて、元色から階調値を５増減した周辺色の各パッチ画像が印刷される。
【００４９】
図５の（Ａ）、（Ｂ）、及び（Ｃ）の各グループにおいて、パッチ画像の色値は、矢印Ａで示される方向に、Ｂ（ブルー）の階調値が５単位（ピッチ）で増加し、矢印Ｂで示される方向に、Ｇ（グリーン）の階調値が５単位で増加する。また、図５の（Ａ）、（Ｂ）、及び（Ｃ）のグループ単位では、パッチ画像の色値は、矢印Ｃで示される方向に、Ｒ（レッド）の階調値が５単位で増加する。
【００５０】
具体的には、元色のパッチ画像（図５の（Ｂ）の中心に位置するパッチ画像）の色値が（１００，５０，５０）であり、図５の（Ａ）において左上に位置するパッチ画像の色値が（９５，４５，４５）であり、図５の（Ｃ）において右下に位置するパッチ画像の色値が（１０５，５５，５５）である。
【００５１】
また、各パッチ画像には、パッチ画像の識別情報であるパッチ番号（（１）、（２）、・・・）が対応するパッチ画像の上に表示される。
【００５２】
このようなパッチ画像が表示されると、ユーザーは、目視でそれらのパッチ画像の中から特色として相応しい色のパッチ画像を選択する。具体的には、ユーザーが、図４の特色設定画面１５Ａにおいてｅ部のメニューを操作し、選択したパッチ画像のパッチ番号（パッチ画像識別情報）を入力する。
【００５３】
当該入力操作を受けて、特色設定部１５は、選択されたパッチ画像のパッチ番号を取得し（図３のステップＳ９）、取得したパッチ番号に対応するパッチ画像の色値（Ｒ，Ｇ，Ｂ）を変換後の色値（Ｒ’，Ｇ’，Ｂ’）として決定し、その色値を記憶する（図３のステップＳ１０）。例えば、図５において、パッチ番号（２２）のパッチ画像が選択された場合には、（１０５，５０，４５）の色値が（Ｒ’，Ｇ’，Ｂ’）として決定される。
【００５４】
次に、特色設定部１５は、特色設定画面１５Ａの表示部ａに表示される画像のうち、上記変換後の色が決定した特色（元色）の部分の表示を変更する（図３のステップＳ１１）。具体的には、特色設定部１５は、その部分を視覚的に元色とは全く異なる色で表示する。換言すれば、ユーザーが色が変わったことを容易に識別できる色で表示する。図４において、例えば、ｘで指し示す箇所が特色を設定する対象として指示されていた場合に、「ＥＰＳＯＮ」の文字列が同一色であれば、少なくとも「ＥＰＳＯＮ」の文字列の表示色が変更される。なお、単に色を変えるだけでなく点滅するように色を切り替えて表示してもよい。
【００５５】
ユーザーは、特色設定画面１５Ａの表示部ａにおいて表示色が変更されることで、特色の設定が完了した箇所を認知し、この時点で特色の設定操作を終了するか、あるいは、継続するかを判断する。
【００５６】
継続する場合には、ユーザーは、現在、特色設定画面１５Ａに表示している画像ファイル１６について更に特色の設定作業を継続するか、あるいは、新たな画像ファイル１６について設定作業を行うかを判断する。
【００５７】
その前者の場合には、すなわち、同じ画像ファイル１６について設定を行う場合には（図３のステップＳ１２の「継続」）、ユーザーは、更に、同じ特色セットとして設定を行うか、あるいは、異なる特色セットとして設定を行うかを判断する。同じ特色セットとして設定を行う場合には、ユーザーは特色設定画面１５Ａのｃ部のメニュー操作から行う。そして、ステップＳ５からの処理が行われる。
【００５８】
一方、異なる特色セットとして設定を行う場合には、ユーザーは特色設定画面１５Ａのｂ部のメニュー操作から行う。そして、同様に、ステップＳ５からの処理が行われる。
【００５９】
また、ユーザーが新たな画像ファイル１６について設定作業を行う場合には（図３のステップＳ１２の「他ファイル」）、ユーザーは特色設定画面１５Ａのｆ部のメニュー操作を行う。その後、処理がステップＳ２に戻り、ユーザーはアプリケーション部１１に対し新たな画像ファイル１６について印刷指示の操作を行う。以降、ステップＳ２からの処理が行われる。
【００６０】
また、ユーザーが設定操作を終了すると判断した場合には（図３のステップＳ１２の「終了」）、ユーザーは特色設定画面１５Ａのｇ部のメニュー操作を行う。当該操作を受けて、特色設定部１５は、ステップＳ５及びＳ１０で記憶した、特色の元色の色値（Ｒ，Ｇ，Ｂ）と変換後の色値（Ｒ’，Ｇ’，Ｂ’）を、ステップＳ５で記憶した特色セット番号に対応付けて、特色変換リスト１７に設定する。例えば、ステップＳ９において、図５のパッチ番号（２２）の情報を取得した場合には、図２の特色セット［１］とそれに対応する色変換情報が設定される。
【００６１】
以上説明したように、特色の変換情報（特色変換リスト１７）が設定される。
【００６２】
図６は、印刷時の処理手順の一例を示したフローチャートである。まず、ユーザーにより、アプリケーション部１１において、印刷対象の画像ファイル１６を開いて（ロードして）、その画像ファイル１６についての印刷指示操作を行われる（図６のステップＳ２１）。その際に、今回の印刷で使用する特色セット番号（特色セット識別情報）をアプリケーション部１１に対して行う。
【００６３】
当該指示を受けて、アプリケーション部１１は、特色セット番号などの印刷条件と元画像データをドライバー部１２に送信する。
【００６４】
ドライバー部１２は、送信された元画像データに対してレンダリング処理を実行し、ＲＧＢ画素データを生成する（図６のステップＳ２２）。
【００６５】
次に、ドライバー部１２は、特色変換リスト１７にアクセスし、アプリケーション部１１から送信された特色セット番号に対応付けて記憶されている色変換情報を取得する。そして、ドライバー部１２は、ＲＧＢ画素データのうち、取得した色変換情報の元色の色値（Ｒ，Ｇ，Ｂ）と同じ色値を持つ画素につて、それらの色値を、取得した色変換情報の変換後の色値（Ｒ’，Ｇ’，Ｂ’）に変更する（図６のステップＳ２３）。
【００６６】
例えば、図２の例において、受信した特色セット番号が［１］の場合には、（１００，５０，５０）の色値を持つ画素は、それらの色値が（１０５，５０，４５）に変換される。
【００６７】
次に、ドライバー部１２は、変換後のＲＧＢ画素データに対して、インク色であるＣＭＹＫへの色変換処理、ドットデータとするハーフトーン処理、及び、プリンター２用のコマンドで表現するコマンド生成処理を、順次行い、印刷データを生成する（図６のステップＳ２４）。
【００６８】
その後、ドライバー部１２は、生成した印刷データをプリンター２へ送信する（図６のステップＳ２５）。
【００６９】
プリンター２は、送信された印刷データを受信し、当該印刷データに従って、コントローラー部２１及び印刷機構部２２の動作によって印刷処理を実行する（図６のステップＳ２６）。当該印刷処理により、ユーザーが設定した特色での印刷物が出力される。
【００７０】
以上のような処理手順で本印刷システムにおける印刷が実行される。
【００７１】
なお、上述の実施形態例では、ＲＧＢ画素データに対して特色の変換処理を実行したが、プリンター２のインク色であるＣＭＹＫ画素データに対して特色の変換処理が行われるようにすることもできる。この場合、特色の設定処理では、特色設定部１５は、特色の元色の色値（Ｒ，Ｇ，Ｂ）と変換後の色値（Ｒ’，Ｇ’，Ｂ’）と、それに対応する、（Ｃ，Ｍ，Ｙ，Ｋ）と変換後（Ｃ’，Ｍ’，Ｙ’，Ｋ’）に、特色変換リスト１７に設定する。画像処理時、（Ｒ，Ｇ，Ｂ）から（Ｃ’，Ｍ’，Ｙ’，Ｋ’）に変換される。
【００７２】
また、ドライバー部１２が、画像処理を行わない場合は、特色設定部１５により設定された特色変換リスト１７はプリンター２に送付され、プリンター２が特色変換リスト１７を用いて画像処理を行う。
【００７３】
以上説明した通り、本実施の形態例に係る印刷システムでは、予めユーザーによって確認された特色への変換情報が記憶され、色変換情報を設定する特色設定部が、印刷時の画像処理と同等の処理を行い、その結果を出力されるので、ユーザーは、その結果画像の中から特定色を選択することにより所望する特色での印刷を容易に実現することができる。また、簡単に画像データのＲＧＢ等の値が取得できないデータ形式の画像についても、ＲＧＢ値が簡単に入手できる。また、透過データの反映結果も含めて特色の値を選択することができる。
【００７４】
また、上記変換情報の設定は、印刷データを生成する過程の画像データを用いて行うので、形式の異なる画像ファイルを扱う必要がない。
【００７５】
また、上記変換情報の設定操作のためのユーザーインターフェース画面が提供され、ユーザーは、表示された画像に対して、特色を設定する画像部分を指示することによって対象を特定できる。
【００７６】
また、ユーザーの指示操作後には、周辺色を含むパッチ画像が表示、または、印刷され、ユーザーは、印刷されたパッチ画像を選択することで所望の色を設定することができる。
【００７７】
なお、本発明は、上述の説明と異なる色空間で画像データが表現され、上述の説明と異なるインク色で印刷が行われる場合にも適用できる。
【００７８】
また、本発明は、レンダリング処理、色変換処理などの画像処理をプリンター側で行う印刷システムにおいても適用することができる。この場合には、特色変換リスト１７と同
様の情報がプリンター側に備えられる。
【００７９】
本発明の保護範囲は、上記の実施の形態に限定されず、特許請求の範囲に記載された発明とその均等物に及ぶものである。
【符号の説明】
【００８０】
１  ホスト装置、  ２  プリンター、  １１  アプリケーション部、  １２  ドライバー部、  １３  表示部、  １４  操作部、１５  特色設定部、  １５Ａ  特色設定画面、
１６  画像ファイル、  １７  特色変換リスト、  １８  記憶部、  ２１  コントローラー部、  ２２  印刷機構部
【図１】
2016186690.tif 000003
【図２】
2016186690.tif 000004
【図３】
2016186690.tif 000005
【図４】
2016186690.tif 000006
【図６】
2016186690.tif 000007
【図５】
2016186690.tif 000008